(57)【要約】【課題】既存のアームレストを用いて、グレード毎に異なったアームレストへ組み替え可能なアームレストカバーの提供。【解決手段】  既存アームレストＡを所定収納位置で固定させる固定手段４２を有する収納部４を備え、収納部２下部に固定され既存アームレストＡの挿入方向に長い板状体で長手方向の辺に沿ってスライドガイド溝２２が穿設される下部基板２と、下面３１を開放されて下部基板２上面に固定された収納部４を被覆可能な筐体形状をなし、下部開口３５の長手方向端縁にはスライドガイド溝２２に挿入されて摺動可能なスライドレール部３２を備え、収納部に収納された既存アームレストＡのスライド収納側となる収納部側面３３には既存アームレストＡ収納時に開閉可能な収納開口蓋部３４が設けられるアームレストカバー本体３とからなる。【選択図】図４
2010194156.tif 000002
【特許請求の範囲】
【請求項１】
既存アームレストを長手方向にスライドさせて収納可能であり収納される既存アームレストを所定収納位置で固定可能な固定手段を有する収納部を備え、収納部下部に固定され既存アームレストの挿入方向に長い板状体であり長手方向の辺に沿ってスライドガイド溝が穿設される下部基板と、下面の少なくとも一部を開放されて下部基板上面に固定された収納部を被覆可能な筐体形状をなし、下面の長手方向端縁にはスライドガイド溝と対向する位置にスライドガイド溝に挿入されて摺動可能なスライドレール部を備え、収納部に収納された既存アームレストのスライド収納側となる収納部側面には既存アームレスト収納時に開閉可能な収納開口蓋部が設けられるアームレストカバー本体とからなることを特徴とするスライド式アームレストカバー。
【請求項２】
前記収納部の固定手段には、スライド収納される既存アームレストの回動軸に備える凹部に進退自在な位置決めガイドを備える請求項１に記載のスライド式アームレストカバー。
【発明の詳細な説明】
【技術分野】
【０００１】
この発明は、自動車用のアームレストカバーにかかり、詳細には、既存あるいは標準のアームレストを利用して他のアームレストの形状を形成するアームレストカバーに関する。
【背景技術】
【０００２】
自動車に標準的に備えられているアームレストは、その幅が５［ｃｍ］程度である。  一方、乗用自動車には種々のグレードがあり、これらの差別化を図るためにシートの形状や素材を変えたりしている。そこで、アームレストに対しても、差別化を図るために例えばその幅を大きくしてゆったりと腕を置けるようにするための工夫が成されても当然である。
【０００３】
従来のアームレストの例を以下に挙げると、「車両用アームレスト構造」（特開２００３−１４４２６７）がある。以下これを単に従来例１という。
従来例１は、『シートバック（１２２）の側面に枢支軸（１２４）により枢支され、該シートバック（１２２）からシート前方側へ向けて延出される使用時姿勢と、該シートバック（１２２）の側面に沿って格納される格納時姿勢との間で姿勢を変更し得るようにしたアームレスト（１０１）を備えてなる車両用シートのアームレスト装置であって、上記アームレスト（１０１）が、上記枢支軸（１２４）により上記シートバック（１２２）側に枢支された第１アームレスト体（１０２）と、該第１アームレスト体（１０２）に対して蝶番（１０６）により連結され且つ該蝶番（１０６）を介して上記第１アームレスト体（１０２）の側方に並設配置される第１回動位置と該第１アームレスト体（１０２）の上側に重層配置される第２回動位置との間で回動可能とされた第２アームレスト体（１０３）とを備えた分割構造とされていることを特徴とする車両用シートのアームレスト装置。』からなり、図８に表すように、シート１２０のシートバック１２２側部に回動自在に固定されたアームレスト１０１は通常のアームレストとは異なって固定される。
即ち、アームレスト１０１はシートクッション１２１に着座した乗員が肘掛けやすい位置のシートバック１２２側部へ枢支軸１２４によって固定される。そして、従来例１のアームレスト１０１は、通常のアームレストと異なり、第１アームレスト体１０２と第２アームレスト体１０３とを横方向へ並設させ、この状態で、上面を蝶番１０６によって連結してある。このように蝶番１０６を設けることで第１アームレスト体１０２に対して第２アームレスト体１０３を回動させて第１アームレスト体１０２の上部へ移動させることを可能としている。
【０００４】
従来例１は、上記のように、乗員が使用しているときには第１アームレスト体１０２と第２アームレスト体１０３とを並設した状態にして使用することでアームレスト１０１の幅を十分に利用可能とさせる。また、ワンボックスタイプの乗用車などにおいては、左右に併設するシート１２０の間を乗員が移動するための幅を設けるために、第２アームレスト体１０３を第１アームレスト体１０２の上部へ移動可能とさせて使用するようにしたものであった。
【０００５】
しかしながら従来例１は、通常使用されているようなアームレストを使用することなく従来例１で提供するアームレスト１０１を通常使用されているようなアームレストに変えて使用することとなる。
従って、通常使用されているアームレストは廃棄処分されるので産業廃棄物を増加させることとなると共に、不要な費用を掛けることとなってしまうという問題点を有した。
さらに、通常使用されているアームレストを取り外す作業を終えてから新たに従来例１のアームレスト１０１を取り付けるので、従来例１のアームレスト１０１とするためには２つの工程を必要としてしまうという問題点を有した。さらにこれに伴って、専用の工具等を使用しての取り付けが必須となり、取り付け作業が簡便ではないという問題点を有した。
【先行技術文献】
【特許文献】
【０００６】
【特許文献１】特開２００３−１４４２６７号公報
【発明の概要】
【発明が解決しようとする課題】
【０００７】
そこでこの発明は、上記問題点に鑑み、通常使用されているアームレストを廃棄することなく利用し、且つ、取り付けが簡単なアームレストカバーの提供を課題とする。
【課題を解決するための手段】
【０００８】
上記問題点を解決するために既存のアームレストを利用したアームレスカバーとしてこの発明では、既存アームレストを長手方向にスライドさせて収納可能であり収納される既存アームレストを所定収納位置で固定可能な固定手段を有する収納部を備え、収納部下部に固定され既存アームレストの挿入方向に長い板状体であり長手方向の辺に沿ってスライドガイド溝が穿設される下部基板と、下面の少なくとも一部を開放されて下部基板上面に固定された収納部を被覆可能な筐体形状をなし、開放下面の長手方向端縁にはスライドガイド溝と対向する位置にスライドガイド溝に挿入されて摺動可能なスライドレール部を備え、収納部に収納された既存アームレストのスライド収納側となる収納部側面には既存アームレスト収納時に開閉可能な収納開口蓋部が設けられるアームレストカバー本体とからなることを特徴とするスライド式アームレストカバーを提供する。
【０００９】
このスライド式アームレストカバーでは、既存のアームレストを、収納部へ収納させる。この時、収納部の長手方向一端から挿入して既存アームレストの長手方向にスライドさせて所定の位置まで挿入させる。これにより、既存アームレストは収納部の所定位置まで収納されたので、下部基板と収納部とが既存アームレストに固定される。
この状態で、アームレストカバー本体のスライドレール部をスライドガイド溝に挿入しアームレストカバー本体を摺動移動させることで、アームレストカバー本体内に収納部および収納された既存アームレストを収納する。この時、アームレストカバー本体の収納側面に設けた収納開口蓋部を開状態とさせて収納を完了し、収納完了後に再び閉状態をする。
更にこの発明では、既存アームレストを収納した状態で確実に既存アームレストを固定できるものとして、前記収納部の固定手段には、スライド収納される既存アームレストの回動軸に備える凹部に進退自在な位置決めガイドを備えるアームレストカバーを提供する。
【００１０】
この場合には、収納部に収納された既存アームレストに予め備わっている凹部に、具体的にはシートバックと回動自在に固定させるための枢軸を固定しているボルト取付孔に、位置決めガイドを挿入させる。この位置決めガイドは一端が収納部に固定されていて他端が凹部に進退可能に形成してある。
【発明の効果】
【００１１】
従ってこの発明によれば、既存のアームレストを取り外した後に新たにアームレストカバーを取り付けるのではなく、既存のアームレストを取り付けたままアームレストカバーを装着可能なので、既存のアームレストを取り外す工程を必要とせず、アームレストカバーの取り付けが簡単に行え、且つ、専用の取り付け取り外し工具を必要としないので、作業時間の短縮および経費の削減が可能となる。
また既存のアームレストを廃棄せず、既存のアームレストの備える機能、例えばシートバックとの係止固定機能をそのまま利用可能であり、無駄を出さずに既存のアームレストと異なるアームレスト構造を提供できるという本願特有の効果を有する。
【００１２】
更にまた、収納部を固定されている下部基板とアームレストカバー本体とが別体に構成できるので、異なる意匠のアームレストカバー本体を複数種用意することで、下部基板を共通として複数種の意匠のアームレストを提供可能であるという本願特有の効果を有する。
【００１３】
また、位置決めガイドを既存アームレストに備えている凹部へ固定するだけで既存アームレストを確実に固定できる。
【図面の簡単な説明】
【００１４】
【図１】この発明の実施例を表す斜視説明図
【図２】この発明の実施例の内部構造を表す斜視説明図
【図３】この発明の実施例の部品を表す斜視説明図
【図４】この発明の実施例を表す斜視分解説明図
【図５】図４の平面説明図であり、(ａ)は既存アームレスト未収納時を表し、(ｂ)は既存アームレスト収納時を表す
【図６】既存アームレストを表す斜視説明図
【図７】図１のＥ−Ｅ線断面説明図
【図８】従来例を表す説明図
【発明を実施するための形態】
【００１５】
以下にこの発明の実施例を説明する。
１はアームレストカバーである。アームレストカバー１は、既存のアームレストＡに取り付けて、例えば既存のアームレストＡをグレードアップさせることが可能である。
既存のアームレストＡは、シート（図示せず）を構成するシートバック（図示せず）の側面に枢軸によって固定され、シートバック（図示せず）とほぼ直角の状態（ほぼ水平状態）からシートバック（図示せず）側部と沿う状態までの角度で回動可能に形成される。
【００１６】
アームレストカバー１は、下部基板２と、アームレストカバー本体３と、既存アームレストＡを固定する収納部４とから形成する。
そして、アームレストカバー１は、収納部４が下部基板２の上面に固定され、下部基板２およびアームレストカバー本体３が内部に収納部４に収納された既存アームレストＡを収納固定可能に形成される。
【００１７】
即ち、下部基板２は、既存のアームレストＡよりやや長く、幅方向は所望の幅に形成する。アームレストカバー本体２も同様に既存のアームレストＡよりやや長く、幅方向は所望の幅となるよう長さも幅も下部基板２と同じように形成し、下部基板２の上部に係止することで、既存アームレストＡの外側に新たなアームレストを形成する。
【００１８】
下部基板２は、長手方向が既存アームレストＡより稍長く、短手方向が既存アームレストＡの５倍程度の幅となるような板状体からなる。また、下部基板２の上面には収納部４が固定される。収納部４は、既存アームレストＡを収納可能である。従って、下部基板２は、収納部４に収納される既存アームレストＡが長手方向に位置するように形成される。
また、下部基板２の上面２１には、長手方向の端部にスライドガイド溝２２を穿設する。スライドガイド溝２２は、下部基板２の長手方向全長に亙って穿設され、上部より下部が幅広となるように穿設されており、スライドガイド溝２２の下部を広くすることで、摺動可能に係止された際に、上方へ脱抜しないように形成してある。
【００１９】
下部基板２の上面に固定される収納部４は、既存アームレストＡを挿入される側の端部に挿入部４１を備える。挿入部４１は、既存アームレストＡを挿入可能に開口されて貫通され下部基板２に固定されている。また、挿入部４１と対向する端部側には、やはり既存アームレストＡが挿入される先端側押さえ部４２を備える。先端側押さえ部４２も挿入部４１と同様に、既存アームレストＡを挿入されるように開口しており、この開口は、挿入部４１側から対向側へと貫通されている。
また、先端側押さえ部４２の挿入部４１と対向側には、ストッパー４３を備える。このストッパー４３は、挿入部４１および先端側押さえ部４２に挿入された既存アームレストＡの挿入完了位置を規定するように下部基板２上に突設される。
【００２０】
挿入部４１および先端側押さえ部４２は、その貫通孔の下部基板２からの高さは、既存アームレストＡを挿通可能な高さとなっている。この高さは、既存アームレストＡが軟らかい素材で出来ているので、既存アームレストＡの外形より稍小さくすることで挿入された既存アームレストＡのガタツキを抑えることが可能となる。
また、収納部４の挿入部４１と先端側押さえ部４２との間には、ばね力を有する押さえ板４４を架け渡す。押さえ板４４は既存アームレストＡを所定収納位置で固定可能な固定手段であり、図２等に表すように、下部基板２に対して左右方向となるように設け、対向する左右の押さえ板４４間に、挿入される既存アームレストＡを収納可能である。押さえ板４４は、未収納時には、その中間部が相互に近付いた状態となるように配置されており、既存アームレストＡが挿入された際にばね力に抗して挿入されることとなり、相互に離れた位置で既存アームレストＡを押さえ付ける。これにより、収納された既存アームレストＡは固定される。
【００２１】
更に、収納部４には、位置決めガイド４５が備えられている。位置決めガイド４５は、挿入部４１の既存アームレストＡ挿入側端部に基端部４６が固定され、他端に固定突起４７を備える。そして、固定突起４７は、既存のアームレストＡが収納部４に挿入されてストッパー４３に当接された所定位置となったときに、既存アームレストＡの側面に備えられている枢軸固定孔Ａ１の位置に備えられており基端部４６が固定された端部の対向端側へと突出されている。
図６は、既存のアームレストＡの説明図であり、既存アームレストＡは、基端部がシートバック(図示せず)に回動自在に固定される枢軸(図示せず)と固定するための枢軸固定孔Ａ１を備えている。そして、この枢軸固定孔Ａ１には、通常はキャップＡ２が嵌め込まれて意匠を形成している。
【００２２】
そこで、この枢軸固定孔Ａ１に位置決めガイド４５の固定突起４７を挿入することで既存アームレストＡが位置決め固定され、収納部４から抜け出すことがなくなる。図５(ａ)は、収納部４に既存アームレストＡ未収納時を表しており、押さえ板４４が未収納時の状態であって相互に近づいている状態である。この状態に、図５(ｂ)に表すように、既存アームレストＡが収納されると、押さえ板４４はそのばね力に抗して間に既存アームレストＡが収納されることとなり、ばね力を持って収納された既存アームレストＡを押さえて固定することとなる。
【００２３】
収納部４の下部基板２固定位置は、例えば、シートバック（図示せず）の左側に取り付けられている既存アームレストＡに取り付けるアームレストカバー１であれば、既存のアームレストＡがシートバック（図示せず）と枢軸（図示せず）によって係止されているので、この枢軸（図示せず）がシートバック（図示せず）と接続可能なように収納部４のストッパー４３が車両の前方に位置し、収納部４をスライドガイド溝２２側となるように右側に寄せて固定する。勿論、シートバック（図示せず）の右側に取り付けられている既存アームレストＡに取り付けるアームレストカバー１であればこの逆となるように収納部４を下部基板２上に固定する。
なお、収納部４は、その一部例えばストッパー４３を下部基板２と一体的に形成してある。
【００２４】
アームレストカバー本体３は、下面３１の一部を開口した概ね直方体形状を成し、形状を維持しつつ表面は肘掛けとして機能するように柔軟且つ弾力を備えるように形成してある。また、下面３１の開口位置は、アームレストカバー本体３を下部基板２と所定の位置となるように係止させるときに、既存アームレストＡを収納した収納部４をアームレストカバー本体３内部に収納できるように下部開口３５を開口する。そして、アームレストカバー本体３の下面３１の長手方向の端縁部には、下方へ突出するようにスライドレール部３２を備える。スライドレール部３２は、長手方向全体に亙って設け、スライドガイド溝２２の形状に合わせて先端側を基端部側に比べて幅広となるように形成してある。このスライドレール部３２は、スライドガイド溝２２と対向する位置に設けてある。更に、アームレストカバー本体３の側面は、この実施例では蛇腹形状に形成し、適度な弾性力を持たせ使用性能を向上させている。なお、アームレストカバー本体３を形成する素材等は適宜選択すれば良く、前記蛇腹形状もこれにこだわることなく適宜形状を持って形成すれば足りる。
【００２５】
更にまた、アームレストカバー本体３の端手側の側面である収納部側面３３には、収納開口蓋部３４を設ける。この収納開口蓋部３４は、収納部側面３３の下面３１側から上面側に左右２本の切り込みを入れると共に、上面側の切り込み間をインテグラルヒンジとして形成する。このように収納開口蓋部３４を設けることで、既存アームレストＡが収納された収納部４を被覆するように、アームレストカバー本体３のスライドレール部３２を下部基板２のスライドガイド溝２２へ嵌め込みアームレストカバー本体３を摺動移動させる時には、収納開口蓋部３４の下端を上方へ持ち上げて開口させておき摺動移動を完了させ、下部基板２とアームレストカバー本体３とが所定位置に収まり、アームレストカバー本体３内に既存アームレストＡが収納された状態で再び収納開口蓋部３４を元に戻してアームレストカバー１を完成させることが出来る。従って、収納開口蓋部３４が閉状態ではアームレストカバー本体３から容易に外れて開口しないように収納開口蓋部３４周囲部とアームレストカバー本体３の収納開口蓋部３４当接周囲部とに係止用凹部および係止用突部を設けて嵌め込み係止可能にしてあるが、従来同様の方法に基づくものであり図示等の詳細は省略してある。
【００２６】
図７は、図１のＥ−Ｅ線断面説明図である。即ち、既存アームレストＡを収納部４へ収納してアームレストカバー本体３を下部基板２と所定の位置に係止固定した状態の断面説明図であり、収納部４および既存アームレストＡがアームレストカバー本体３の下面３１に開口された下部開口３５からアームレストカバー本体３内部に位置されている。
【産業上の利用可能性】
【００２７】
この発明は、自動車のシートに取り付けるアームレストに利用可能であり、特に複数種のバリエーションを容易に構成できるので同じ車種で複数のグレードを備える自動車や異なる車種間で同じ既存のアームレストを用いている場合などに利用すると有効である。
【符号の説明】
【００２８】
Ａ  既存のアームレスト
Ａ１  回動側先端Ａ１
Ａ２  回動基端側端部
Ａ３  枢軸
Ｂ  シートバック
１  アームレストカバー
２  下部基板
２１  上面
２２  スライドガイド溝
３  アームレストカバー本体
３１  下面
３２  スライドレール部
３３  収納部側面
３４  収納開口蓋部
３５  下部開口
４  収納部
４１  挿入部
４２  先端側押さえ部
４３  ストッパー
４４  押さえ板
４５  位置決めガイド
４６  基端部
４７  固定突起
【図１】
2010194156.tif 000003
【図２】
2010194156.tif 000004
【図３】
2010194156.tif 000005
【図４】
2010194156.tif 000006
【図５】
2010194156.tif 000007
【図６】
2010194156.tif 000008
【図７】
2010194156.tif 000009
【図８】
2010194156.tif 000010